(57)【要約】【課題】光ディスク再生時に、ユーザにより多くの再生情報を提供するために、操作パネル部の空きスペースを有効に活用し、かつ、ユーザにとって魅力ある表示形態で再生情報等を表示する。【解決手段】光ディスクの再生時、光ディスクの傷や汚れを監視し、光ディスクに傷や汚れがある場合には、その都度、汚れランプ３４を点滅させる。また、このような処理と並行して、性能表示部３５の倍速表示部３５１にディスク読み込み速度を７セグメント表示で２桁表示し、回転速度表示部３５２にディスク回転速度を７セグメント表示で２桁表示する。例えば、光ディスクがＣＤ系のメディアである場合には、倍速表示部３５１の表示は、・・・４倍速、８倍速、１６倍速・・・等の１桁または２桁表示となり、光ディスクがＤＶＤ系である場合には、１．１倍速、２．４倍速といった小数点表示となる。【選択図】  図２
2004273064.tif 000002
【特許請求の範囲】
【請求項１】
装置本体前面の操作パネル部に、光ディスクを載置して装置本体内に挿入するディスクトレイと、挿入された光ディスクを取り出すためのイジェクトボタンと、光ディスクへのアクセス状況を表示するアクセスランプとが設けられており、前記ディスクトレイに載置されて挿入された光ディスクから情報を読み込んで再生する再生制御手段を有する光ディスク装置であって、
前記操作パネル部に、光ディスクの汚れ具合を表示する表示色の異なる２個のＬＥＤランプからなる汚れ表示手段と、光ディスクの再生時のディスク読み込み速度及びディスク回転速度をそれぞれ表示する７セグメントの数字表示器からなる性能表示手段と、前記性能表示手段に表示されたディスク読み込み速度をユーザが任意に設定変更可能な読み込み速度設定手段とが設けられており、
前記汚れ表示手段は、光ディスクが汚れていない場合には一方のＬＥＤランプを点灯するとともに他方のＬＥＤランプを消灯し、光ディスクが汚れている場合には前記一方のＬＥＤランプを消灯するとともに前記他方のＬＥＤランプを点灯または点滅させる一方、光ディスクの汚れの検出回数を一定の時間間隔で順次集計し、その集計結果に基づいて前記他方のＬＥＤランプの点滅状態を異ならせ、かつ、光ディスクの再生中に前記読み込み速度設定手段により速度を上げる方向の設定が行われた場合には、現在の汚れ状態からディスク読み込み速度が設定変更されることによって生じる汚れ状態を疑似的に換算して一定時間だけ表示し、
前記再生制御手段は、光ディスクの再生中に前記読み込み速度設定手段により速度を上げる方向の設定が行われた場合には、その設定が行われてから前記一定時間経過した後に前記読み込み速度設定手段による設定内容を再度確認し、この時点で、実際のディスク読み込み速度を設定されている読み込み速度に設定変更して再生動作を継続し、
前記性能表示手段は、再生時点でのディスク読み込み速度の実行最大速度が当該光ディスクの性能表示に記載されている表示最大速度と異なる場合には、現在のディスク読み込み速度及び／または現在のディスク回転速度を表示最大速度での表示に対応した速度に換算して表示することを特徴とする光ディスク装置。
【請求項２】
光ディスクから情報を読み込んで再生する再生制御手段を有する光ディスク装置であって、
装置本体前面の操作パネル部に、光ディスクの汚れ具合を表示する汚れ表示手段と、光ディスクの再生時のディスク読み込み速度及びディスク回転速度をそれぞれ表示する性能表示手段とが設けられたことを特徴とする光ディスク装置。
【請求項３】
前記性能表示手段が７セグメントの数字表示器であり、前記汚れ表示手段がＬＥＤランプであることを特徴とする請求項２に記載の光ディスク装置。
【請求項４】
前記性能表示手段は、ディスク読み込み速度が最大速度で動作しているときと、最大速度以下で動作しているときとで、ディスク読み込み速度の表示状態を異ならせることを特徴とする請求項２または請求項３に記載の光ディスク装置。
【請求項５】
前記性能表示手段に表示されたディスク読み込み速度をユーザが任意に設定変更可能な読み込み速度設定手段をさらに備えたことを特徴とする請求項２ないし請求項４のいずれかに記載の光ディスク装置。
【請求項６】
前記再生制御手段は、ディスク読み込み速度が最大速度で動作しているときに前記読み込み速度設定手段により速度を上げる方向の設定が行われた場合には、前記性能表示手段のディスク読み込み速度の表示を設定変更することなく、その設定を無効として処理することを特徴とする請求項５に記載の光ディスク装置。
【請求項７】
光ディスクの再生中に前記読み込み速度設定手段により速度を上げる方向の設定が行われた場合、前記汚れ表示手段は、現在の汚れ状態からディスク読み込み速度が設定変更されることによって生じる汚れ状態を疑似的に換算して表示するとともに、前記再生制御手段は、設定が行われてから一定時間経過した後に前記読み込み速度設定手段による設定内容を再度確認し、この時点で、実際のディスク読み込み速度を設定されている読み込み速度に設定変更して再生動作を継続することを特徴とする請求項５に記載の光ディスク装置。
【請求項８】
前記性能表示手段は、再生時点でのディスク読み込み速度の実行最大速度が当該光ディスクの性能表示に記載されている表示最大速度と異なる場合には、現在のディスク読み込み速度及び／または現在のディスク回転速度を表示最大速度での表示に対応した速度に換算して表示することを特徴とする請求項２または請求項３に記載の光ディスク装置。
【請求項９】
前記汚れ表示手段は、光ディスクの汚れを検出するたびに点滅することを特徴とする請求項３に記載の光ディスク装置。
【請求項１０】
前記汚れ表示手段は、光ディスクの汚れの検出回数を一定の時間間隔で順次集計し、その集計結果に基づいて表示状態を異ならせることを特徴とする請求項２または請求項３に記載の光ディスク装置。
【請求項１１】
前記汚れ表示手段が表示色の異なる２個のＬＥＤランプで構成されており、光ディスクが汚れていない場合には一方のＬＥＤランプを点灯するとともに他方のＬＥＤランプを消灯し、光ディスクが汚れている場合には前記一方のＬＥＤランプを消灯するとともに前記他方のＬＥＤランプを点灯または点滅させることを特徴とする請求項２に記載の光ディスク装置。
【請求項１２】
前記汚れ表示手段は、光ディスクの汚れの検出回数を一定の時間間隔で順次集計し、その集計結果に基づいて前記他方のＬＥＤランプの点滅状態を異ならせることを特徴とする請求項１１に記載の光ディスク装置。
【発明の詳細な説明】
【０００１】
【発明の属する技術分野】
本発明は、装置本体前面の操作パネル部に、イジェクトボタンやアクセスランプといった従来からある操作機能や表示機能とは別の新たな機能を設けた光ディスク装置に関する。
【０００２】
【従来の技術】
図９は、光ディスク装置の装置本体前面に設けられた操作パネル部８１を示している。従来の光ディスク装置では、この操作パネル部８１に、光ディスクの挿入口８２と、挿入された光ディスクを取り出すためのイジェクトボタン８３と、光ディスクへのアクセス状況を表示するアクセスランプ８４とが設けられている。
【０００３】
このような従来の光ディスク装置では、光ディスクの再生時、ユーザに対して提供される情報は、ドライバが光ディスクにアクセスしている時に点灯するアクセスランプの情報のみであり、その他の情報については全く提供されていなかった。
【０００４】
そこで、このようなアクセスランプによるアクセス状況の表示だけでなく、光ディスクの傷や付着した埃などの情報を表示するようにしたディスク再生装置も提案されている（例えば、特許文献１、特許文献２参照）。
また、光ディスクへの書き込み時の進行状況や発生したエラーの内容を報知するようにした光ディスク装置も提案されている（例えば、特許文献３参照）。
【０００５】
【特許文献１】
特開昭５８−３７８４７号公報
【特許文献２】
特開２００１−２９７５１６号公報
【特許文献３】
特開平１０−２７５４１５号公報
【０００６】
【発明が解決しようとする課題】
上記従来技術はいずれも、光ディスクへの情報の記録時または再生時に、傷や埃の情報、ディスク書き込み時の進行状況といったより多くの情報をユーザに知らせることができる。しかしながら、ユーザにとっては、これらの情報を得たとしてもまだ十分とはいえず、特に光ディスク再生時の情報としては不十分である。また、従来の光ディスク装置は、図９に示すように、装置本体前面の操作パネル部８１に、光ディスクの挿入口８２と、イジェクトボタン８３と、アクセスランプ８４とが設けられているだけであり、ユーザにとっては、無味乾燥なものとなっていた。また、これらの機能しか備えていないため、操作パネル部８１にはまだ多くのスペースが残されている。
【０００７】
本発明はかかる問題点を解決すべく創案されたもので、その目的は、光ディスク再生時に、ユーザにより多くの再生情報を提供するために、操作パネル部の空きスペースを有効に活用し、かつ、ユーザにとって魅力ある表示形態で再生情報等を表示することのできる光ディスク装置を提供することにある。
【０００８】
【課題を解決するための手段】
本発明の光ディスク装置は、装置本体前面の操作パネル部に、光ディスクを載置して装置本体内に挿入するディスクトレイと、挿入された光ディスクを取り出すためのイジェクトボタンと、光ディスクへのアクセス状況を表示するアクセスランプとが設けられており、前記ディスクトレイに載置されて挿入された光ディスクから情報を読み込んで再生する再生制御手段を有する光ディスク装置であって、装置本体前面の操作パネル部に、光ディスクの汚れ具合を表示する汚れ表示手段と、光ディスクの再生時のディスク読み込み速度及びディスク回転速度をそれぞれ表示する性能表示手段とが設けられたことを特徴とする。この場合、前記性能表示手段を７セグメントの数字表示器で構成し、前記汚れ表示手段を１または２個のＬＥＤランプで構成している。
【０００９】
このように、装置本体前面の操作パネル部に、ディスク読み込み速度やディスク回転速度を数値表示するための７セグメントの数字表示器や、光ディスクの汚れ表示用のＬＥＤランプを設けることで、光ディスクの再生時の情報をより変化に富んだ形で表示することができる。
【００１０】
また、前記性能表示手段は、ディスク読み込み速度が最大速度で動作しているときと、最大速度以下で動作しているときとで、ディスク読み込み速度の表示状態を異ならせるようにしてもよい。例えば、ディスク読み込み速度が最大速度で動作しているときには、数字表示器を点灯状態で表示し、最大速度以下で動作しているときには、数字表示器を点滅状態で表示する。これにより、ユーザは、ディスク読み込み速度が、現時点での最大速度であるか否かを容易に確認することができる。
【００１１】
また、前記性能表示手段に表示されたディスク読み込み速度をユーザが任意に設定変更可能な読み込み速度設定手段をさらに備えていてもよい。このような読み込み速度設定手段を設けておくことで、例えば、ディスク読み込み速度が現時点での最大速度でない場合に、ユーザの意志によってディスク読み込み速度を最大速度に設定変更することができる。また、この逆にディスク読み込み速度を現時点での速度より遅くなるように設定変更することも可能である。
【００１２】
また、前記再生制御手段は、ディスク読み込み速度が最大速度で動作しているときに、前記読み込み速度設定手段により速度を上げる方向の設定が行われた場合には、前記性能表示手段のディスク読み込み速度の表示を設定変更することなく、その設定を無効として処理する。つまり、ディスク読み込み速度がその時点での最大速度で動作している場合には、実質的にこれ以上の読み込み速度にすることはできないので、この場合には、読み込み速度設定手段による速度を上げる方向での設定変更を無効として処理することとし、誤動作等の防止を図っている。
【００１３】
また、光ディスクの再生中に前記読み込み速度設定手段により速度を上げる方向の設定が行われた場合、前記汚れ表示手段は、ディスク読み込み速度が設定変更されることによって生じる汚れ状態を現在の汚れ状態から疑似的に換算して表示する。これと同時に、前記再生制御手段は、設定が行われてから一定時間経過した後に前記読み込み速度設定手段による設定内容を再度確認し、この時点で、実際のディスク読み込み速度を、設定されている読み込み速度に設定変更して再生動作を継続するようにしてもよい。すなわち、光ディスクの再生中に読み込み速度設定手段により速度を上げる方向の設定が行われた場合には、当然に読み込みエラーの起こる確率も高くなる。本発明では、そのことを、ディスク読み込み速度が設定変更されることによって生じる汚れ状態を現在の汚れ状態から疑似的に換算して表示することで、ユーザに報知するものである。また、光ディスクの再生中に読み込み速度設定手段により速度を上げる方向の設定が行われた場合、その設定変更に追従して即座にディスク読み込み速度を設定変更したのでは、上記したように読み込みエラーが起こる可能性があるので、この場合には、設定変更を一定時間遅延し、その間に、ユーザがディスク読み込み速度の設定を元に戻すことができるようにしている。これにより、データ読み込みエラーといった動作不良の発生を回避することができる。なお、一定時間が経過してもなおかつ設定変更されている場合には、その時点で、設定変更されているディスク読み込み速度に変更して再生動作を継続する。
【００１４】
また、前記性能表示手段は、再生時点でのディスク読み込み速度の実行最大速度が当該光ディスクの性能表示に記載されている表示最大速度と異なる場合には、現在のディスク読み込み速度及び／または現在のディスク回転速度を表示最大速度での表示に対応した速度に換算して表示するようにしてもよい。ディスク読み込み速度（転送レート）は、周知の如く光ディスクの内周側と外周側で異なり、例えば外周側で最大速度が５０倍速である場合、内周側での最大速度は例えば２０倍速や３０倍速程度である。しかし、光ディスクの性能表示は、通常、外周側での最大速度が記載されていることから、ユーザによっては、ディスク読み込み速度が常に５０倍速で行えると勘違いする場合がある。その場合に、性能表示手段に表示されているディスク読み込み速度が３０倍速であり、これが現時点での実質的な最大速度であっても、この表示を見ているユーザが、最大速度が出ていないと勘違いする可能性もある。そこで、本発明では、このようなユーザの勘違いを防ぐため、ディスク読み込み速度がその時点での最大速度である場合には、性能表示手段に表示するディスク読み込み速度を、光ディスクの性能表示に記載されている表示最大速度（すなわち、その光ディスクの外周側での最大速度）となるように換算して表示するようにしている。この場合、ディスク回転速度も、光ディスクの外周側での最大速度と一致するように換算して表示する。これにより、ユーザによる勘違いを防止することができる。
【００１５】
また、前記汚れ表示手段は、光ディスクの汚れを検出するたびに点滅する。これにより、点滅回数や点滅間隔を確認することで、汚れ具合を判断することが可能となる。
【００１６】
また、前記汚れ表示手段は、光ディスクの汚れの検出回数を一定の時間間隔で順次集計し、その集計結果に基づいて表示状態を異ならせるようにしてもよい。例えば、一定時間の汚れの検出回数が３回以下である場合にはディスク再生にほとんど支障がないため汚れ表示手段を表示せず、検出回数が４〜１０回の範囲内であった場合には汚れ表示手段であるＬＥＤランプを緩やかな間隔で点滅し、検出回数が１１〜２０回の範囲内であった場合には汚れ表示手段であるＬＥＤランプの点滅間隔を少し短くする、といった具合に表示状態を異ならせることが可能である。そして、クリーニング等が必要なレベルになった場合には、ＬＥＤランプを常時点灯状態にすることで、ユーザにクリーニングの時期を報知することが可能となる。
【００１７】
また、前記汚れ表示手段が表示色の異なる２個のＬＥＤランプで構成されており、光ディスクが汚れていない場合には一方のＬＥＤランプを点灯するとともに他方のＬＥＤランプを消灯し、光ディスクが汚れている場合には前記一方のＬＥＤランプを消灯するとともに前記他方のＬＥＤランプを点灯または点滅させるようにしてもよい。この場合、他方のＬＥＤランプの点灯または点滅は、上記のように、光ディスクの汚れの検出回数を一定の時間間隔で順次集計し、その集計結果に基づいて表示状態を異ならせるようにしてもよい。
【００１８】
【発明の実施の形態】
以下、本発明の実施の形態について、図面を参照して説明する。
図１は、本発明の光ディスク装置のシステム構成を示している。
【００１９】
装填された光ディスク１からデータを読み込む光ピックアップ３の出力は、ＲＦアンプ５を介してディジタル信号処理回路７に接続されており、ディジタル信号処理回路７の出力は、光ピックアップ３によるデータの読み込み時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらディジタル信号処理回路７及びサーボ処理回路９は、装置全体の動作制御を行うシステムコントローラ１０と双方向に接続されている。
【００２０】
また、ディジタル信号処理回路７には、再生動作時に光ディスク１から実際に読み込んだデータを一時的に蓄積するバッファとしてのＤＲＡＭ６が双方向に接続されているとともに、ディジタルデータをアナログデータに変換してＣＲＴ等の表示装置２１に出力するＤ／Ａ変換回路１２が接続されている。
【００２１】
また、システムコントローラ１０には、光ディスク１のパラメータやレーザパワーのパラメータ等の固有情報を記憶しておくためのＥＥＰＲＯＭ１１が双方向に接続されるとともに、装置本体前面の操作パネル部１３（図２を併せて参照）に設けられた光ディスク１再生時のディスク読み込み速度を設定可能な倍速設定ボタン３６を含む各種スイッチや、光ディスク１の汚れ具合を表示するＬＥＤランプ（汚れランプ）３４、光ディスク１の再生時のディスク読み込み速度及びディスク回転速度をそれぞれ表示する７セグメントの数字表示器からなる性能表示部３５などが接続されている。また、システムコントローラ１０には、リモコン１８からの赤外線信号を受信する受信部１４が接続されているとともに、後述する一定時間を計測するタイマー回路１５が接続されている。
【００２２】
ディジタル信号処理回路７は、ＥＦＭ復調や、ＡＣＩＲＣ（Ａｄｖａｎｃｅｄ  Ｃｒｏｓｓ  Ｉｎｔｅｒｌｅａｖｅｄ  Ｒｅｅｄ−Ｓｏｌｏｍｏｎ  Ｃｏｄｅ）による誤り訂正方式に従って、１６ビットの信号を８ビットづつに区切り、その８ビットを１４ビットに変換するといった処理等を行う。
【００２３】
システムコントローラ１０は、光ディスク１の再生時、汚れ具合を表示する汚れランプ３４を制御するとともに、性能表示部３５を制御して、ディスク読み込み速度やディスク回転速度を表示する。
【００２４】
図２は、操作パネル部１３の一実施形態の外観図を示している。
操作パネル部１３には、光ディスク１を載置して装置本体内に挿入するディスクトレイ３１と、挿入された光ディスク１を取り出すためのイジェクトボタン３２と、ディスク再生時に光ディスク１へのアクセス状況を表示するアクセスランプ３３とが設けられている。これらは従来から設けられているものである。
【００２５】
本実施形態ではさらに、光ディスク１の汚れ具合を表示する１個の汚れランプ（ＬＥＤランプ）３４と、光ディスク１の再生時のディスク読み込み速度及びディスク回転速度をそれぞれ表示する７セグメントの数字表示器からなる性能表示部３５と、性能表示部３５に表示されたディスク読み込み速度を設定変更可能な倍速設定ボタン３６とが設けられている。
【００２６】
性能表示部３５は、その左側に、ディスク読み込み速度を表示するための倍速表示部３５１が２個の７セグメントＬＥＤによって構成されており、その表示部間の下方位置に小数点の表示が可能な構成となっている。また、その右側には、光ディスク１の回転速度を表示するための回転速度表示部３５２が２個の７セグメントＬＥＤによって構成されている。すなわち、倍速表示部３５１及び回転速度表示部３５２は、本実施形態ではいずれも２桁表示となっている。ただし、回転速度表示部３５２には、７セグメントＬＥＤの右側に［×１００（／ｍｉｎ）］と記載されていることから、実際には４桁表示である。
【００２７】
倍速設定ボタン３６は、例えばアップダウンキーを用いることができるが、１個のボタンを順次押すことで、予め設定された数の倍速を順次切り替えるような切換えボタンであってもよい。
【００２８】
システムコントローラ１０は、光ディスク１の再生動作時、その再生動作に連動させて汚れランプ３４の点滅または点灯状態や、性能表示部３５の表示内容及び表示状態を制御するようになっている。
【００２９】
次に、上記構成の光ディスク装置において、光ディスク１の再生動作時における汚れランプ３４及び性能表示部３５の制御動作の各種実施例について説明する。
【００３０】
＜実施例１＞
本実施例１の制御動作について、図３に示すフローチャートを参照して説明する。本実施例１は、最も基本的な制御動作である。
【００３１】
光ディスク１を装置本体内に装？して再生を開始すると、ディジタル信号処理回路７では、光ピックアップ３によって光ディスク１から読み取ったデータに傷や汚れ等による欠落がある場合、その欠落を補正すべく誤り訂正処理等を行っており、そのときのエラーレートをカウントしている。システムコントローラ１０は、このディジタル信号処理回路７による誤り訂正処理等と連動させて光ディスク１の傷や汚れを監視し（ステップＳ１）、光ディスク１に傷や汚れがある場合には、その都度、汚れランプ３４を点滅させる（ステップＳ２）。なお、このときの点滅間隔は、エラーレートに応じて変化させている。また、本実施例１では、再生動作中、光ディスク１に傷や汚れが無い場合には汚れランプ３４を消灯させている（ステップＳ３）。
【００３２】
このように、光ディスク１の傷や汚れを検出するたびに点滅する汚れランプ３４の点滅回数や点滅間隔を目視により確認することで、ユーザは、光ディスク１の汚れ具合を判断することが可能となる。
【００３３】
このような処理と並行して、システムコントローラ１０では、性能表示部３５の倍速表示部３５１にディスク読み込み速度を２桁表示し（ステップＳ５）、回転速度表示部３５２にディスク回転速度を２桁表示する（ステップＳ６）。例えば、装？されている光ディスク１がＣＤ系のメディアである場合には、倍速表示部３５１の表示は、・・・４倍速、８倍速、１６倍速・・・等の１桁または２桁表示となり、装？されている光ディスク１がＤＶＤ系である場合には、１．１倍速、２．４倍速といった小数点表示となる。
【００３４】
システムコントローラ１０は、このようなステップＳ１〜ステップＳ５の処理を、ディスク読み込みを終了するまで（ステップＳ６でＮｏと判断されるまで）繰り返し実効し、ディスク読み込みを終了すると（すなわち、再生動作を終了すると）、処理を終了する。
【００３５】
＜実施例２＞
本実施例２は、上記実施例１の基本的な制御動作に対し、性能表示部３５の表示形態に工夫を凝らせた実施例である。以下、図４に示すフローチャートを参照して説明する。
【００３６】
ステップＳ１１〜ステップＳ１３は、上記実施例１の図３に示すステップＳ１〜ステップＳ３と同じであるので、ここでは説明を省略する。
【００３７】
システムコントローラ１０は、ステップＳ１１〜ステップＳ１３の処理と並行して、ディスク読み込み速度が現時点での最大速度かどうかを監視する（ステップＳ１４）。そして、ディスク読み込み速度が現時点での最大速度である場合（ステップＳ１４でＹｅｓと判断された場合）には、性能表示部３５の倍速表示部３５１にディスク読み込み速度を点灯状態で表示し（ステップＳ１５）、回転速度表示部３５２にディスク回転速度を点灯状態で表示する（ステップＳ１６）。
【００３８】
一方、ディスク読み込み速度が現時点での最大速度でない場合（ステップＳ１４でＮｏと判断された場合）には、性能表示部３５の倍速表示部３５１にディスク読み込み速度を点滅状態で表示し（ステップＳ１７）、回転速度表示部３５２にディスク回転速度を点滅状態で表示する（ステップＳ１８）。
【００３９】
このように、ディスク読み込み速度が現時点での最大速度であるか否かで表示状態を変えることにより、ユーザは、この表示状態を確認することで、現在の光ディスク１のディスク読み込み速度やディスク回転速度が最大速度であるか否かを容易に確認することができる。
【００４０】
システムコントローラ１０は、このようなステップＳ１１〜ステップＳ１８の処理を、ディスク読み込みを終了するまで（ステップＳ１９でＮｏと判断されるまで）繰り返し実効し、ディスク読み込みを終了すると（すなわち、再生動作を終了すると）、処理を終了する。
【００４１】
＜実施例３＞
本実施例３は、上記実施例１の基本的な制御動作に対し、性能表示部３５の表示形態に工夫を凝らせた他の実施例である。以下、図５に示すフローチャートを参照して説明する。
【００４２】
ステップＳ２１〜ステップＳ２３は、上記実施例１の図３に示すステップＳ１〜ステップＳ３と同じであるので、ここでは説明を省略する。
【００４３】
システムコントローラ１０は、ステップＳ２１〜ステップＳ２３の処理と並行して、ディスク読み込み速度が現時点での最大速度かどうかを監視する（ステップＳ２４）。そして、ディスク読み込み速度が現時点での最大速度である場合（ステップＳ２４でＹｅｓと判断された場合）には、現在のディスク読み込み速度を表示最大速度（例えば、５０倍速）での表示に対応した速度に換算して、倍速表示部３５１に表示する（ステップＳ２５）。例えば、現在の再生状態でのディスク読み込み速度の最大速度が４０倍速であった場合に、実際の読み込み速度が２０倍速であった場合には、（２０×４０÷５０＝２５）のような演算処理を行って、倍速表示部３５１に「２５」と表示する。なお、小数点以下の端数が出た場合には、例えば四捨五入する。
【００４４】
同様に、ディスク回転速度についても、倍速表示部３５１で表示した倍速に対応するように、ディスク回転速度を換算して回転速度表示部３５２に表示する（ステップＳ２６）。
【００４５】
このように、光ディスク１の性能表示に記載されている表示最大速度と、現時点での最大速度（以下「実行最大速度」ともいう。）との比に応じて、倍速表示部３５１及び回転速度表示部３５２に表示するディスク読み込み速度及びディスク回転速度を換算表示することにより、ユーザによる誤認識を防止することができる。例えば、倍速表示部３５１に表示されているディスク読み込み速度が現時点での実行効最大速度である３０倍速であっても、性能表示されている最大速度が５０倍速であった場合には、この表示を見ているユーザが、最大速度が出ていないと誤認識するといった可能性があるが、本実施例３によれば、実行最大速度の３０倍速でディスク読み込みを行っている場合には、倍速表示部３５１に５０倍速と表示するため、このような誤認識を確実に回避することができる。
【００４６】
一方、ディスク読み込み速度が現時点での最大速度でない場合（ステップＳ４４でＮｏと判断された場合）には、性能表示部３５の倍速表示部３５１にディスク読み込み速度を表示し（ステップＳ２７）、回転速度表示部３５２にディスク回転速度を表示する（ステップＳ２８）。
【００４７】
システムコントローラ１０は、このようなステップＳ２１〜ステップＳ２８の処理を、ディスク読み込みを終了するまで（ステップＳ２９でＮｏと判断されるまで）繰り返し実効し、ディスク読み込みを終了すると（すなわち、再生動作を終了すると）、処理を終了する。
【００４８】
なお、上記実施例３では、現時点での実行最大速度と性能表示された表示最大速度との比を求めているが、実行最大速度については、次のようにして求めることができる。
【００４９】
すなわち、ディスク読み込み速度の最大速度は、光ディスク１の内周側が遅く、外周側が速くなっており、その間の領域では、比例的に変化していると見做すことができる。従って、光ディスク１のリードインエリアとリードアウトエリアの間の記録エリアを外周側から内周側に向かって複数エリアに分割し（例えば、アドレス番号で分割し）、各分割エリアにおける最大速度を、上記比例関係に従って予め設定したテーブルをシステムコントローラ１０内に格納しておけばよい。これにより、システムコントローラ１０は、アドレスデータから再生位置を確認し、その再生位置における最大速度を前記テーブルを参照して確認することにより、上記演算で用いる実行最大速度を求めることができる。
【００５０】
＜実施例４＞
本実施例４は、上記実施例１の基本的な制御動作に対し、汚れランプ３４の表示形態に工夫を凝らせた実施例である。ただし、本実施例４では、システムコントローラ１０内に光ディスク１の傷や汚れをカウントするカウント機能が付加されている。以下、図６に示すフローチャートを参照して説明する。
【００５１】
本実施例４では、システムコントローラ１０は光ディスク１の再生開始時にタイマー回路１５を起動して（ステップＳ４１）、一定時間の計測を開始する（ステップＳ４２）。そして、一定時間が経過するまで（すなわち、ステップＳ４２でＹｅｓと判断されるまで）、システムコントローラ１０は、ディジタル信号処理回路７による誤り訂正処理等と連動させて光ディスク１の傷や汚れを監視し（ステップＳ４３）、光ディスク１に傷や汚れがある場合には、その都度、内部の図示しないカウンタをカウントアップする（ステップＳ４４）。
【００５２】
一方、一定時間が経過すると（ステップＳ４２でＹｅｓと判断されると）、システムコントローラ１０は、カウンタによるそれまでのカウント結果に応じた表示形態で、汚れランプ３４を点滅または点灯させる（ステップＳ４５）。
【００５３】
【００５４】
具体的には、一定時間の間にカウントした汚れのカウント回数が例えば３回以下である場合には、ディスク再生にほとんど支障がないため汚れランプ３４を点灯することなく消灯状態で維持する。また、カウント回数が例えば４〜１０回の範囲内であった場合には汚れランプ３４を長い周期で緩やかに点滅させる。また、カウント回数が例えば１１〜２０回の範囲内であった場合には、汚れランプ３４を短い周期で点滅させる。さらに、カウント回数が例えば２０回を超えている場合には、汚れランプ３４のクリーニングが必要であることを知らせるため、汚れランプ３４を点灯状態で維持する。ただし、上記表示形態は一例であり、この例に限定されるものではない。例えば、点滅間隔をさらに詳細に区分することが可能である。このような表示形態にすることで、ユーザにクリーニングの時期を報知することができる。
【００５５】
この後、システムコントローラ１０は、タイマー回路１５の一定時間の計測値をクリアするとともに、内部カウンタのカウント値をクリアする（ステップＳ４６）。
【００５６】
システムコントローラ１０では、このようなステップＳ４２〜ステップＳ４６の処理を、ディスク読み込みを終了するまで（ステップＳ１９でＮｏと判断されるまで）繰り返し実効し、ディスク読み込みを終了すると（すなわち、再生動作を終了すると）、処理を終了する。
【００５７】
＜実施例５＞
本実施例５は、操作パネル部１３に設けられた倍速設定ボタン３６の操作によるシステムコントローラ１０の処理動作の実施例である。以下、図７に示すフローチャートを参照して説明する。
【００５８】
システムコントローラ１０は、光ディスク１の再生動作中、倍速設定ボタン３６が操作されたか否かを常に監視している（ステップＳ５１）。そして、倍速設定ボタン３６が操作された場合には、その操作がディスク読み込み速度を上げる方向の操作か否かを確認し（ステップＳ５２）、ディスク読み込み速度を上げる方向の操作である場合（ステップＳ５２でＹｅｓと判断された場合）には、次に、現在のディスク読み込み速度が現時点での実行最大速度であるか否かを確認する（ステップＳ５３）。
【００５９】
その結果、現時点での実行最大速度である場合（ステップＳ５３でＹｅｓと判断された場合）には、実質的にこれ以上のディスク読み込み速度にすることはできないので、倍速設定ボタン３６の操作を無効として処理し、そのままのディスク読み込み速度でディスク再生処理を続行する（ステップＳ５４）。
【００６０】
一方、ステップＳ５３での判断の結果、ディスク読み込み速度が現時点での実行最大速度でない場合（Ｎｏと判断された場合）、及びステップＳ５２での判断の結果、倍速設定ボタン３６の操作が現在のディスク読み込み速度を下げる方向の操作である場合（Ｎｏと判断された場合）には、倍速設定ボタン３６の操作に従ってディスク読み込み速度を変更し、ディスク再生処理を続行する（ステップＳ５５）。
【００６１】
＜実施例６＞
本実施例６は、操作パネル部１３に設けられた倍速設定ボタン３６の操作によるシステムコントローラ１０の処理動作の他の実施例である。以下、図８に示すフローチャートを参照して説明する。ただし、本実施例６では、汚れランプ３４の表示形態は、上記実施例１または実施例４のいずれの表示形態でもよい。
【００６２】
システムコントローラ１０は、光ディスク１の再生動作中、倍速設定ボタン３６が操作されたか否かを常に監視している（ステップＳ６１）。そして、倍速設定ボタン３６が操作された場合には、その操作がディスク読み込み速度を上げる方向の操作か否かを確認する（ステップＳ６２）。
【００６３】
その結果、ディスク読み込み速度を上げる方向の操作である場合（ステップＳ６２でＹｅｓと判断された場合）には、次に、ディスク読み込み速度が設定変更されることによって生じる汚れ状態を、現在の汚れ状態から疑似的に換算し、その疑似状態を汚れランプ３４により表示する。具体的には、現在の汚れ状態の表示が例えば長い周期の緩やかな点滅表示であった場合に、これを短い周期の点滅表示に変更する。また、速度を上げる方向の操作による設定が、現時点での実行最大速度を超えている場合には、汚れランプ３４を点灯状態とする。これにより、ユーザは、倍速設定ボタン３６による設定では、読み込みエラーの起こる確率が高くなることを、この汚れランプ３４の点滅または点灯状態によって知ることができる。
【００６４】
また、このような表示と並行して、システムコントローラ１０は、タイマー回路１５を起動し、倍速設定ボタン１５の操作（速度設定）が行われてから一定時間（例えば５秒等）の計測を開始する（ステップＳ６４）。そして、一定時間が経過すると（ステップＳ６５でＹｅｓと判断されると）、倍速設定ボタン３６が再び操作されて設定が変更されたか否かを確認し（ステップＳ６６）、一定時間前の設定内容のままである場合（ステップＳ６６でＮｏと判断された場合）には、この時点で初めて、実際のディスク読み込み速度を、設定されている読み込み速度に設定変更して再生動作を継続する（ステップＳ６７）。
【００６５】
一方、ステップＳ６６での判断の結果、倍速設定ボタン３６が再び操作されて設定が再度変更されている場合（Ｙｅｓと判断された場合）には、その操作がディスク読み込み速度を下げる方向の操作か否かを確認し（ステップＳ６８）、下げる操作である場合（ステップＳ６８でＹｅｓと判断された場合）には、次にその下げ幅が最初の設定変更前と同じかそれ以下であるか否かを確認し（ステップＳ６９）、それ以下である場合（ステップＳ６９でＹｅｓと判断された場合）には、次の一定時間を待つことなく、この時点で実際のディスク読み込み速度を、設定されている読み込み速度に設定変更して再生動作を継続する（ステップＳ６７）。
【００６６】
一方、倍速設定ボタン３６の操作がディスク読み込み速度を上げる方向の操作であった場合（ステップＳ６８でＮｏと判断された場合）、または、今回の倍速設定ボタン３６の操作がディスク読み込み速度を下げる方向の操作であるが、前回の操作による設定よりディスク読み込み速度がまだ速い場合（ステップＳ６９でＮｏと判断された場合）には、再びステップＳ６３に戻って、汚れランプ３４の表示変更と一定時間の計測から処理を実行する。
【００６７】
なお、ステップＳ６２において、倍速設定ボタン３６が操作された場合であって、その操作がディスク読み込み速度を下げる方向の操作であった場合（Ｎｏと判断された場合）には、ステップＳ６７に進み、実際のディスク読み込み速度を、設定されている読み込み速度に変更して再生動作を継続する（ステップＳ６７）。
【００６８】
なお、上記実施形態では、汚れランプ３４が１個の場合について説明しているが、汚れランプ３４を例えば２個設けておき、光ディスク１が汚れていない場合には一方のＬＥＤランプを例えば緑色や青色に点灯するとともに、他方のＬＥＤランプを消灯し、光ディスク１が汚れている場合には一方のＬＥＤランプを消灯するとともに、他方のＬＥＤランプを点灯または点滅させるようにしてもよい。この場合、他方のＬＥＤランプの点灯または点滅の制御による表示形態は、上記実施例１または実施例４のいずれの表示形態でもよい。
【００６９】
また、上記実施形態では、光ディスク１の傷や汚れの程度として、主として補正可能なＣ１エラーを対象としているが、補正不可能なＣ２エラーを検出した時点で汚れランプ３４を常時点灯する等して、Ｃ２エラーについても対応することは可能である。この場合、光ディスク装置は、Ｃ２エラーを検出した時点でシステム全体が停止するのが普通であるが、この場合も汚れランプ３４を常時点灯することで、このシステムの停止がシステム自体の故障による停止ではなく、Ｃ２エラーによる停止であることをユーザに知らせることができる。
【００７０】
【発明の効果】
本発明によれば、装置本体前面の操作パネル部に、光ディスクの汚れ具合を表示する汚れ表示手段と、光ディスクの再生時のディスク読み込み速度及びディスク回転速度をそれぞれ表示する性能表示手段とを設けた構成とし、性能表示手段を７セグメントの数字表示器で構成し、汚れ表示手段を１または２個のＬＥＤランプで構成したので、光ディスクの再生時の情報をより変化に富んだ形で表示することができる。
【００７１】
また、本発明によれば、性能表示手段は、ディスク読み込み速度が最大速度で動作しているときと、最大速度以下で動作しているときとで、ディスク読み込み速度の表示状態を異ならせるように構成したので、ユーザは、ディスク読み込み速度が、現時点での最大速度であるか否かを容易に確認することができる。
【００７２】
また、本発明によれば、性能表示手段に表示されたディスク読み込み速度をユーザが任意に設定変更可能な読み込み速度設定手段を備えた構成としたので、例えばディスク読み込み速度が現時点での最大速度でない場合に、ユーザの意志によってディスク読み込み速度を最大速度に設定変更することができる。また、この逆にディスク読み込み速度を現時点での速度より遅くなるように設定変更することもできる。
【００７３】
また、本発明によれば、再生制御手段は、ディスク読み込み速度が最大速度で動作しているときに、読み込み速度設定手段により速度を上げる方向の設定が行われた場合には、性能表示手段のディスク読み込み速度の表示を設定変更することなく、その設定を無効として処理する構成としたので、設定変更によるシステムの誤動作等を防止することができる。
【００７４】
また、本発明によれば、光ディスクの再生中に読み込み速度設定手段により速度を上げる方向の設定が行われた場合、汚れ表示手段は、ディスク読み込み速度が設定変更されることによって生じる汚れ状態を現在の汚れ状態から疑似的に換算して表示する一方、再生制御手段は、設定が行われてから一定時間経過した後に読み込み速度設定手段による設定内容を再度確認し、この時点で、実際のディスク読み込み速度を、設定されている読み込み速度に設定変更して再生動作を継続するように構成している。すなわち、ディスク読み込み速度が設定変更されることによって生じる汚れ状態を現在の汚れ状態から疑似的に換算して表示することで、設定変更することによってデータ読み込みエラーが発生する可能性があることをユーザに報知することができる。また、設定変更を一定時間遅延し、その間に、ユーザがディスク読み込み速度の設定を元に戻すことができるようにしたので、データ読み込みエラーといった動作不良の発生を回避することができる。
【００７５】
また、本発明によれば、性能表示手段は、再生時点でのディスク読み込み速度の実行最大速度が当該光ディスクの性能表示に記載されている表示最大速度と異なる場合には、現在のディスク読み込み速度及び／または現在のディスク回転速度を表示最大速度での表示に対応した速度に換算して表示するように構成している。すなわち、光ディスクの性能表示に記載されている表示最大速度と、現時点での実行最大速度との比に応じて、性能表示手段に表示するディスク読み込み速度及びディスク回転速度を換算表示することにより、実行最大速度が出ているにも係わらず表示最大速度が出ていないといったユーザによる誤認識を防止することができる。
【００７６】
また、本発明によれば、汚れ表示手段は、光ディスクの汚れを検出するたびに点滅するように構成したので、点滅回数や点滅間隔を確認することで汚れ具合を判断し、クリーニングの時期を知ることができる。
【００７７】
また、本発明によれば、汚れ表示手段は、光ディスクの汚れの検出回数を一定の時間間隔で順次集計し、その集計結果に基づいて表示状態を異ならせるように構成したので、その表示状態を確認することで汚れ具合を判断し、クリーニングの時期を知ることができる。
【００７８】
また、本発明によれば、汚れ表示手段が表示色の異なる２個のＬＥＤランプで構成されており、光ディスクが汚れていない場合には一方のＬＥＤランプを点灯するとともに他方のＬＥＤランプを消灯し、光ディスクが汚れている場合には一方のＬＥＤランプを消灯するとともに他方のＬＥＤランプを点灯または点滅させるように構成したので、光ディスクに傷や汚れがなく、正常に再生動作していることを一方のＬＥＤランプの点灯によって確認することができる。また、再生動作中に両方のＬＥＤランプが消灯している場合には、ＬＥＤランプが故障していると判断することができる。
【図面の簡単な説明】
【図１】本発明の光ディスク装置のシステム構成図である。
【図２】操作パネル部の外観図である。
【図３】実施例１の制御動作を説明するためのフローチャートである。
【図４】性能表示部の表示形態に工夫を凝らせた実施例２の制御動作を説明するためのフローチャートである。
【図５】性能表示部の表示形態に工夫を凝らせた実施例３の制御動作を説明するためのフローチャートである。
【図６】汚れランプの表示形態に工夫を凝らせた実施例４の制御動作を説明するためのフローチャートである。
【図７】倍速設定ボタンの操作によるシステムコントローラの実施例５の処理動作を説明するためのフローチャートである。
【図８】倍速設定ボタンの操作によるシステムコントローラの実施例６の処理動作を説明するためのフローチャートである。
【図９】従来の光ディスク装置における操作パネル部の外観図である。
【符号の説明】
１  光ディスク
２  スピンドルモータ
３  光ピックアップ
４  フィードモータ
５  ＲＦアンプ
６  ＤＲＡＭ
７  ディジタル信号処理回路
８  レーザドライバ
９  サーボ処理回路
１０  システムコントローラ
１１  ＥＥＰＲＯＭ
１２  Ｄ／Ａ変換回路
１３  操作パネル部
１４  受信部
１５  タイマー回路
１８  リモコン
３４  汚れランプ
３５  性能表示部
３６  倍速設定ボタン
３５１  倍速表示部
３５２  回転速度表示部
【図１】
2004273064.tif 000003
【図２】
2004273064.tif 000004
【図３】
2004273064.tif 000005
【図４】
2004273064.tif 000006
【図５】
2004273064.tif 000007
【図６】
2004273064.tif 000008
【図７】
2004273064.tif 000009
【図８】
2004273064.tif 000010
【図９】
2004273064.tif 000011